【事件の表示】
　特許第２９７９５３６号「バーコード印刷装置」の請求項１に係る特許に対する特許異議の申立てについて、次のとおり決定する。
【結　論】
　訂正を認める。
　特許第２９７９５３６号の請求項１に係る特許を維持する。
【理　由】
１．手続の経緯
　本件特許第２９７９５３６号の請求項１に係る発明は、平成４年６月８日に特許出願され、平成１１年９月１７日にその特許権の設定登録がなされ、その後、その特許について、平成１２年５月１１日に石塚輝より、また、平成１２年５月１２日に土屋博志より特許異議の申立てがなされ、当審において平成１２年９月６日付けで請求項１に係る発明について取消理由が通知され、その指定期間内である平成１２年１０月２４日に訂正請求がなされ、さらに当審において平成１３年１月１１日付けで請求項１に係る発明について取消理由が通知され、その指定期間内である平成１３年３月１３日に、平成１２年１０月２４日付け訂正請求を取り下げるとともに、再度訂正請求がなされたものである。
　
２．訂正の適否についての判断
(1)訂正の内容
ア．訂正事項Ｉ
　特許請求の範囲の第１項に係る記載である「【請求項１】文字や記号及び種々の指令を入力する為の入力手段と、この入力手段から入力される文字や記号のデータと、バーコードのデータとを記憶する入力データ記憶手段と、複数のドット状の印字素子からなる印字ヘッドを有する印刷手段とを備え、文字や記号及びバーコードを印字媒体に印刷可能なバーコード印刷装置であって、前記入力データ記憶手段に記憶された文字や記号及びバーコードのデータを受けて印字用のドットパターンデータを作成する際に、印刷されるバーコードの左端側と右端側に所定の余白を設けるようなドットパターンデータを作成するパターンデータ作成手段を設けたことを特徴とするバーコード印刷装置。」を、「【請求項１】文字や記号及び種々の指令を入力可能であるとともに、バーコードのデータをも入力可能とすることにより、印刷される文字や記号とバーコードとが混在するように入力可能な入力手段と、この入力手段から入力される文字や記号のデータと、バーコードのデータとを記憶する入力データ記憶手段と、複数のドット状の印字素子からなる印字ヘッドを有し、テープ状の印刷媒体を搬送しつつ、入力された文字・記号やバーコードを順次連続して印字する印刷手段とを備え、文字や記号及びバーコードを連接して印字媒体に印刷可能なバーコード印刷装置てあって、前記入力データ記憶手段に記憶された文字や記号及びバーコードのデータを読み出して、前記印刷手段て印刷するための印字用のドットパターンデータを作成する際に、印刷されるバーコードの左端側と右端側に文字や記号と区別してバーコードリーダーにより確実にバーコードを読み取るための所定量のマージン又はクワイエットゾーンを設けるようなドットパターンデータを作成するパターンデータ作成手段を設けたことを特徴とするバーコード印刷装置。」と訂正する。
イ．訂正事項II
　特許明細書の段落【０００５】における記載「【課題を解決するための手段】請求項１に係るバーコード印刷装置は、図１の機能ブロック図に示すように、文字や記号及び種々の指令を入力する為の入力手段と、この入力手段から入力される文字や記号のデータと、バーコードのデータとを記憶する入力データ記憶手段と、複数のドット状の印字素子からなる印字ヘッドを有する印刷手段とを備え、文字や記号及びバーコードを印字媒体に印刷可能なバーコード印刷装置であって、入力データ記憶手段に記憶された文字や記号及びバーコードのデータを受けて印字用のドットパターンデータを作成する際に、印刷されるバーコードの左端側と右端側に所定の余白を設けるようなドットパターンデータを作成するパターンデータ作成手段を備えたものである。」を、「【課題を解決するための手段】請求項１に係るバーコード印刷装置は、図１の機能ブロック図に示すように、文字や記号及ひ種々の指令を入力可能であるとともに、バーコードのデータをも入力可能とすることにより、印刷される文字や記号とバーコードとが混在するように入力可能な入力手段と、この入力手段から入力される文字や記号のデータと、バーコードのデータとを記憶する入力データ記憶手段と、複数のドット状の印字素子からなる印字ヘッドを有し、テープ状の印刷媒体を搬遠しつつ、入力された文字・記号やバーコードを順次連続して印字する印刷手段とを備え、文字や記号及びバーコードを連接して印字媒体に印刷可能なバーコード印刷装置てあって、入力データ記憶手段に記憶された文字や記号及ひバーコードのデータを読み出して、前記印刷手段て印刷するための印字用のトットパターンデータを作成する際に、印刷されるバーコードの左端側と右端側に文字や記号と区別してバーコードリーダーにより確実にバーコードを読み取るための所定量のマージン又はクワイエットゾーンを設けるようなドットパターンデータを作成するパターンデータ作成手段を備えたものである。」に訂正する。
ウ．訂正事項III
　特許明細書の段落【０００６】における記載「【作用】請求項１に係るバーコード印刷装置においては、入力手段から入力される文字や記号のデータと、バーコードのデータとは、入力データ記憶手段に記憶される。そして、パターンデータ作成手段は、入力データ記憶手段に記憶された文字や記号及びバーコードのデータを受け、印字用のドットパターンデータを作成する際に、印刷されるバーコードの左端側と右端側に所定の余白を設けるようなドットパターンデータを作成する。その結果、印刷手段は、このドットパターンデータに基いて、文字や記号及びバーコードを印字ヘッドを介して印字媒体に印刷する。」を、「【作用】請求項１に係るバーコード印刷装置においては、入力手段から入力される文字や記号のデータと、バーコードのデータとは、入力データ記憶手段に記憶される。そして、パターンデータ作成手段は、入力データ記憶手段に記憶された文字や記号及びバーコードのデータを読み出して、印刷手段て印刷するための印字用のドットパターンデータを作成する際に、印刷されるバーコードの左端側と右端側に文字や記号と区別してバーコードリーダーにより確実にバーコードを読み取るための所定量のマージン又はクワイエットゾーンを設けるようなドットパターンデータを作成する。その結果、印刷手段は、このドットパターンデータに基いて、文字や記号及びバーコードを印字ヘッドを介して、テープ状の印刷媒体を搬送しつつ、入力された文字・記号やバーコードを順次連続して印刷する。」に訂正する。
エ．訂正事項IV
　特許明細書の段落【０００７】における記載「このように、文字や記号についてはこれらのドットパターンデータが夫々作成されるとともに、バーコードについてはその左右両端部に所定量の余白を設けたドットパターンデータが作成されて印刷されるので、文字や記号とバーコードとを混在させて同一行に印字した場合、バーコードをその左右両端部に設けた所定量の余白を介して文字や記号と区別して印字されることになり、バーコードリーダーによりバーコードを確実に読取ることができる。」を、「このように、文字や記号についてはこれらのドットパターンデータが夫々作成されるとともに、バーコードについてはその左右両端部に文字や記号と区別してバーコードリーダーにより確実にバーコードを読み取るための所定量のマージン又はクワイエットゾーンを設けたドットパターンデータが作成されて印刷されるので、文字や記号とバーコードとを混在させて同一行に印字した場合、バーコードをその左右両端部に設けた所定量のマージン又はクワイエットゾーンを介して文字や記号と区別して印字されることになり、バーコードリーダーによりバーコードを確実に読取ることができる。」に訂正する。
オ．訂正事項Ｖ
　特許明細書の段落【００２８】における記載「【発明の効果】請求項１に係るバーコード印刷装置によれば、パターンデータ作成手段を設け、文字や記号についてはこれらのドットパターンデータが夫々作成されるとともに、バーコードについてはその左右両端部に所定量の余白を設けたドットパターンデータが作成されて印刷されるので、文字や記号とバーコードとを混在させて同一行に印字した場合、バーコードをその左右両端部に設けた所定量の余白を介して文字や記号と区別して印字されることになり、バーコードリーダーによりバーコードを確実に読取ることができる。また、文字列にイタリック等の文字幅の拡がる修飾が設定されている場合でも、バーコードの左端側の設けられた所定量の余白により、バーコードの左端に文字列の右端が重なることはない。」を、「【発明の効果】請求項１に係るバーコード印刷装置によれは、パターンデータ作成手段を設け、文字や記号についてはこれらのドットパターンデータが夫々作成されるとともに、バーコードについてはその左右両端部に文字や記号と区別してバーコードリーダーにより確実にバーコードを読み取るための所定量のマージン又はクワイエットゾーンを設けたドットパターンデータが作成されて印刷されるので、文字や記号とバーコードとを混在させて同一行に印字した場合、バーコードをその左右両端部に設けた所定量のマージン又はクワイエットゾーンを介して文字や記号と区別して印字されることになり、バーコードリーダーによりバーコードを確実に読取ることができる。また、文字列にイタリック等の文字幅の拡がる修飾が設定されている場合でも、バーコードの左端側の設けられた所定量のマージン又はクワイエットゾーンにより、バーコードの左端に文字列の右端が重なることはない。」に訂正する。
(2)訂正の目的の適否、新規事項の有無及び拡張・変更の存否
　上記訂正事項Ｉは、発明を特定する事項である「文字や記号及び種々の指令を入力する為の入力手段」に「バーコードのデータをも入力可能とすることにより、印刷される文字や記号とバーコードとが混在するように入力可能な」との限定事項を加えて「文字や記号及び種々の指令を入力可能であるとともに、バーコードのデータをも入力可能とすることにより、印刷される文字や記号とバーコードとが混在するように入力可能な入力手段」と訂正するものであり、また、同様に「複数のドット状の印字素子からなる印字ヘッドを有する印刷手段」に「テープ状の印刷媒体を搬送しつつ、入力された文字・記号やバーコードを順次連続して印字する」との限定事項を加えて「複数のドット状の印字素子からなる印字ヘッドを有し、テープ状の印刷媒体を搬送しつつ、入力された文字・記号やバーコードを順次連続して印字する印刷手段」と訂正するものであり、また、同様に「文字や記号及びバーコードを印字媒体に印刷可能なバーコード印刷装置」に「文字や記号及びバーコードを連接して」との限定事項を加えて「文字や記号及ひバーコードを連接して印字媒体に印刷可能なバーコード印刷装置」と訂正するものであり、また、同様に「前記入力データ記憶手段に記憶された文字や記号及びバーコードのデータを受けて印字用のドットパターンデータを作成する際に、印刷されるバーコードの左端側と右端側に所定の余白を設けるようなドットパターンデータを作成するパターンデータ作成手段」に「印刷されるバーコードの左端側と右端側に文字や記号と区別してバーコードリーダーにより確実にバーコードを読み取るための所定量のマージン又はクワイエットゾーンを設けるようなドットパターンデータを作成する」との限定事項を加えて「前記入力データ記憶手段に記憶された文字や記号及びバーコードのデータを読み出して、前記印刷手段て印刷するための印字用のドットパターンデータを作成する際に、印刷されるバーコードの左端側と右端側に文字や記号と区別してバーコードリーダーにより確実にバーコードを読み取るための所定量のマージン又はクワイエットゾーンを設けるようなドットパターンデータを作成するパターンデータ作成手段」と訂正するものであるから、特許請求の範囲の減縮を目的とするものである。
　そして、これらについて、願書に添付された明細書の段落番号【０００２】には「バーコードをバーコードリーダーで正確に読取る為には、バーコードの左右両端側には、所定量の余白（所謂、マージン又はクワイエットゾーン）を設ける必要がある。」と、また、段落番号【０００３】には「バーコード印刷可能なテープ印字装置において、文字や記号の印字用のドットパターンデータを作成する一方、バーコード用のドットパターンデータを作成し、これらドットパターンデータに基いて連続的にテープに印字するので、文字や記号とバーコードとがこの順序で連続して印字される。」と、また、段落番号【００１１】には「テープ送りモータ２４（図４参照）の所定回転方向への駆動により接合ローラ１２と巻取りスプール９とが所定回転方向に夫々同期して駆動されながら発熱素子群に通電されたとき、印字用テープ５上には複数のドット列により文字が印字され、しかも印字用テープ５は両面テープ１０を接合した状態でテープ送り方向Ａにテープ送りされる。」と、また、段落番号【００１８】〜【００２０】には「【００１８】次に、バーコードキーの操作により実行されるバーコードデータ入力処理制御のルーチンについて、図６のフローチャートに基いて説明する。尚、この制御の開始時に、文書データ入力処理によりテキストメモリ４１には図９に示すように、文字「ＡＢＣ」が記憶されているものとする。この制御が開始されるとバーコード入力モードが設定され、先ずバーコード入力画面が表示され（Ｓ１５）、バーコードバッファ４３にバーコードの開始コードが格納される（Ｓ１６）。尚、バーコード規格としてコード３９が設定されているときに
は、Ｓ１６においてスタートコード「＊」が追加して格納される。例えば、図１１に示すように、クリアされたディスプレイ２２の先頭表示位置に左三角形の開始マークＭＳが表示され、コード３９が設定されているときには、図１０に示すようにバーコードバッファ４３の先頭アドレスに開始コードとスタートコード「＊」とが格納される。
【００１９】次に、数字キーを含む文字キーが操作されたときに（Ｓ１７・Ｓ１８：Ｙｅｓ）、ＪＡＮのバーコード規格のようにバーコードバッファ４３に格納されている数字桁数が所定桁よりも少なく、入力可能なときには（Ｓ１９：Ｙｅｓ）、その文字コードがバーコードバッファ４３に格納され（Ｓ２０）、その文字コードに対応する文字がディスプレイ２２に表示され（Ｓ２１）、Ｓ１７に戻る。例えば、コード３９のバーコード規格が設定されているときに、数字「１２」が入力されたときには、図１２に示すようにディスプレイ２２に表示される。
【００２０】次に、データキャラクタの入力を終了する為に終了キーが操作されてバーコードモードが解除されたときに（Ｓ１７：Ｙｅｓ、Ｓ１８：Ｎｏ、Ｓ２２：Ｙｅｓ）、ＪＡＮのバーコード規格のように所定桁の数字コードがバーコードバッファ４３に格納されているときには（Ｓ２３：Ｙｅｓ）、バーコードの終了コードがバーコードバッファ４３に追加格納され（Ｓ２４）、バーコードバッファ４３内の全てのコード列がテキストメモリ４１に格納され（Ｓ２５）、バーコードバッファ４３がクリアされ（Ｓ２６）、この制御を終了してテープ印字制御にリターンする。尚、バーコード規格としてコード３９が設定されているときには、Ｓ２４においてストップコード「＊」が追加して格納される。例えば、図１０に示すように、コード３９の規格に基いて入力されたバーコードの為のデータキャラクタを含むバーコードバッファ４３内の全てのコード列は、図９に示すように、テキストメモリ４１に追加格納される。」と、また、段落番号【００２４】には「このイメージ展開処理制御が開始されると、先ずバーコードの左側に設ける所定の左余白量ＬＹの為の余白データが印字バッファ４４に作成される（Ｓ７０）。例えば、図１３に示すように、既にイメージ展開処理された文字列「ＡＢＣ」のドットパターンデータに隣接させて、４５ドット列分の左余白量（約6.3mm ）ＬＹが印字バッファ４４に作成される。次に、サイズデータと複数桁のデータキャラクタとに基いて、文字サイズの高さとなるように、バーコード用のドットパターンデータが作成され、印字バッファ４４に格納される（Ｓ７１）。そして、バーコードの右側に設ける所定の右余白量ＲＹの為の余白データが印字バッファ４４に作成され（Ｓ７２）、この制御を終了して印字処理制御のＳ６３に移行する。例えば、図１３に示すように、バーコードのデータに隣接させて４５ドット列分の右余白量ＲＹが印字バッファ４４に作成される。」と記載されているから、新規事項の追加に該当せず、実質的に特許請求の範囲を拡張又は変更するものではない。また、上記訂正事項II乃至訂正事項Ｖは、上記訂正事項Ｉと整合を図るものであるから、明りょうでない記載の釈明を目的とした明細書の訂正に該当し、いずれも、新規事項の追加に該当せず、実質的に特許請求の範囲を拡張又は変更するものではない。
　さらに、上記訂正事項は、異議の申し立てられた請求項に係るものであるから、独立特許要件についての検討を要しないものである。
(3)むすび
　したがって、上記訂正は、特許法第１２０条の４第２項及び同条第３項で準用する第１２６条第２項及び第３項の規定に適合するので、当該訂正を認める。
　
３．特許異議の申立てについての判断
(1)申立ての理由の概要
　異議申立人石塚輝は、本件の特許に対して、証拠として甲第１号証（特開平３−１６７６０号公報）を提出し、本件の特許は特許法第２９条第２項の規定に違反してなされたものであり、また、異議申立人土屋博志は、本件の特許に対して証拠として甲第１号証（特開昭５７−１３５１７６号公報）、甲第２号証（特開平２−２９８８７号公報）、甲第３号証（特開平４−６２６９４号公報）、甲第４号証（特開昭６１−１６９９７６号公報）、甲第５号証（特開昭６２−１１６５２号公報）を提出し、本件の特許は特許法第２９条第２項の規定に違反してなされたものであり、本件についての特許を取り消すべき旨主張している。
(2)本件発明
　上記２．で示したように上記訂正が認められるから、本件の請求項１に係る発明（以下、「本件発明」という。）は、上記訂正に係る訂正明細書の特許請求の範囲の請求項１に記載された事項により特定される次のとおりのものである。
「【請求項１】文字や記号及び種々の指令を入力可能であるとともに、バーコードのデータをも入力可能とすることにより、印刷される文字や記号とバーコードとが混在するように入力可能な入力手段と、この入力手段から入力される文字や記号のデータと、バーコードのデータとを記憶する入力データ記憶手段と、複数のドット状の印字素子からなる印字ヘッドを有し、テープ状の印刷媒体を搬送しつつ、入力された文字・記号やバーコードを順次連続して印字する印刷手段とを備え、文字や記号及びバーコードを連接して印字媒体に印刷可能なバーコード印刷装置てあって、前記入力データ記憶手段に記憶された文字や記号及びバーコードのデータを読み出して、前記印刷手段て印刷するための印字用のドットパターンデータを作成する際に、印刷されるバーコードの左端側と右端側に文字や記号と区別してバーコードリーダーにより確実にバーコードを読み取るための所定量のマージン又はクワイエットゾーンを設けるようなドットパターンデータを作成するパターンデータ作成手段を設けたことを特徴とするバーコード印刷装置。」
(3)引用刊行物記載の発明
　当審が通知した取消しの理由に引用された刊行物１（特開平３−２５４９６２号公報）には、「文字、バーコード等を入力するためのキーボードと、該キーボードから入力された文字、バーコード等のコードが記憶されたテキスト部と、シリアルプリンタとを備え、文字、バーコード等を印写可能なバーコード印写装置」の発明が、また、同刊行物２（特開平３−２８１２６８号公報）には「印字データである文字コードや数字データをキャラクタジェネレータや数字コード／バーコード変換テーブルを用いて画像パターンデータに展開する際に、バーコードの左端側と右端側に余白を設けてこの展開された画像パターンデータをフレームメモリに描画する手段と、該フレームメモリ内に格納された描画パターンデータを読出して、サーマルヘッドなどによりラベルに印字出力するラベルプリンタ」の発明が、また、同刊行物３（実願平１−１１５７２号（実開平２−１０４４６３号）のマイクロフィルム）には、「文字とバーコードが連接して印刷され、バーコードの両端に正確に読み取るために必要な余白部を設けたバーコード」の発明が記載されている。
(4)対比・判断
　本件発明と刊行物１〜３に記載の発明とを比較すると、刊行物１〜３に記載の発明は、本件発明の「複数のドット状の印字素子からなる印字ヘッドを有し、テープ状の印刷媒体を搬送しつつ、入力された文字・記号やバーコードを順次連続して印字する印刷手段」を具備していない。
　また、かかる点は、異議申立人の提出した証拠のいずれにも記載されていない。
　そして、本件発明は、この「複数のドット状の印字素子からなる印字ヘッドを有し、テープ状の印刷媒体を搬送しつつ、入力された文字・記号やバーコードを順次連続して印字する印刷手段」を備えたバーコード印刷装置において、「前記入力データ記憶手段に記憶された文字や記号及びバーコードのデータを読み出して、前記印刷手段て印刷するための印字用のドットパターンデータを作成する際に、印刷されるバーコードの左端側と右端側に文字や記号と区別してバーコードリーダーにより確実にバーコードを読み取るための所定量のマージン又はクワイエットゾーンを設けるようなドットパターンデータを作成するパターンデータ作成手段を設けた」ことにより、「文字や記号についてはこれらのドットパターンデータが夫々作成されるとともに、バーコードについてはその左右両端部に文字や記号と区別してバーコードリーダーにより確実にバーコードを読み取るための所定量のマージン又はクワイエットゾーンを設けたドットパターンデータが作成されて印刷されるのて、文字や記号とバーコードとを混在させて同一行に印字した場合、バーコードをその左右両端部に設けた所定量のマージン又はクワイエットゾーンを介して文字や記号と区別して印字されることになり、バーコードリーダーによりバーコードを確実に読取ることがてきる。また、文字列にイタリック等の文字幅の拡がる修飾か設定されている場合ても、バーコードの左端側の設けられた所定量のマージン又はクワイエットゾーンにより、バーコードの左端に文字列の右端が重なることはない。」という作用効果を生じるものと認められる。
　
４．むすび
　以上のとおりであるから、異議申立人石塚輝、土屋博志の理由及び証拠によっては、本件発明についての特許を取り消すことができない。
　また、他に本件発明についての特許を取り消すべき理由を発見しない。
　よって結論のとおり決定する。
【異議決定日】
平成１３年３月２８日（２００１．３．２８）
【訂正の要旨】
　訂正の要旨
ア．訂正事項Ｉ
　特許請求の範囲の第１項に係る記載である「【請求項１】文字や記号及び種々の指令を入力する為の入力手段と、この入力手段から入力される文字や記号のデータと、バーコードのデータとを記憶する入力データ記憶手段と、複数のドット状の印字素子からなる印字ヘッドを有する印刷手段とを備え、文字や記号及びバーコードを印字媒体に印刷可能なバーコード印刷装置であって、前記入力データ記憶手段に記憶された文字や記号及びバーコードのデータを受けて印字用のドットパターンデータを作成する際に、印刷されるバーコードの左端側と右端側に所定の余白を設けるようなドットパターンデータを作成するパターンデータ作成手段を設けたことを特徴とするバーコード印刷装置。」を、「【請求項１】文字や記号及び種々の指令を入力可能であるとともに、バーコードのデータをも入力可能とすることにより、印刷される文字や記号とバーコードとが混在するように入力可能な入力手段と、この入力手段から入力される文字や記号のデータと、バーコードのデータとを記憶する入力データ記憶手段と、複数のドット状の印字素子からなる印字ヘッドを有し、テープ状の印刷媒体を搬送しつつ、入力された文字・記号やバーコードを順次連続して印字する印刷手段とを備え、文字や記号及びバーコードを連接して印字媒体に印刷可能なバーコード印刷装置てあって、前記入力データ記憶手段に記憶された文字や記号及びバーコードのデータを読み出して、前記印刷手段て印刷するための印字用のドットパターンデータを作成する際に、印刷されるバーコードの左端側と右端側に文字や記号と区別してバーコードリーダーにより確実にバーコードを読み取るための所定量のマージン又はクワイエットゾーンを設けるようなドットパターンデータを作成するパターンデータ作成手段を設けたことを特徴とするバーコード印刷装置。」と訂正する。
イ．訂正事項ＩＩ
　特許明細書の段落【０００５】における記載「【課題を解決するための手段】請求項１に係るバーコード印刷装置は、図１の機能ブロック図に示すように、文字や記号及び種々の指令を入力する為の入力手段と、この入力手段から入力される文字や記号のデータと、バーコードのデータとを記憶する入力データ記憶手段と、複数のドット状の印字素子からなる印字ヘッドを有する印刷手段とを備え、文字や記号及びバーコードを印字媒体に印刷可能なバーコード印刷装置であって、入力データ記憶手段に記憶された文字や記号及びバーコードのデータを受けて印字用のドットパターンデータを作成する際に、印刷されるバーコードの左端側と右端側に所定の余白を設けるようなドットパターンデータを作成するパターンデータ作成手段を備えたものである。」を、「【課題を解決するための手段】請求項１に係るバーコード印刷装置は、図１の機能ブロック図に示すように、文字や記号及ひ種々の指令を入力可能であるとともに、バーコードのデータをも入力可能とすることにより、印刷される文字や記号とバーコードとが混在するように入力可能な入力手段と、この入力手段から入力される文字や記号のデータと、バーコードのデータとを記憶する入力データ記憶手段と、複数のドット状の印字素子からなる印字ヘッドを有し、テープ状の印刷媒体を搬遠しつつ、入力された文字・記号やバーコードを順次連続して印字する印刷手段とを備え、文字や記号及びバーコードを連接して印字媒体に印刷可能なバーコード印刷装置てあって、入力データ記憶手段に記憶された文字や記号及ひバーコードのデータを読み出して、前記印刷手段て印刷するための印字用のトットパターンデータを作成する際に、印刷されるバーコードの左端側と右端側に文字や記号と区別してバーコードリーダーにより確実にバーコードを読み取るための所定量のマージン又はクワイエットゾーンを設けるようなドットパターンデータを作成するパターンデータ作成手段を備えたものである。」に訂正する。
ウ．訂正事項ＩＩＩ
　特許明細書の段落【０００６】における記載「【作用】請求項１に係るバーコード印刷装置においては、入力手段から入力される文字や記号のデータと、バーコードのデータとは、入力データ記憶手段に記憶される。そして、パターンデータ作成手段は、入力データ記憶手段に記憶された文字や記号及びバーコードのデータを受け、印字用のドットパターンデータを作成する際に、印刷されるバーコードの左端側と右端側に所定の余白を設けるようなドットパターンデータを作成する。その結果、印刷手段は、このドットパターンデータに基いて、文字や記号及びバーコードを印字ヘッドを介して印字媒体に印刷する。」を、「【作用】請求項１に係るバーコード印刷装置においては、入力手段から入力される文字や記号のデータと、バーコードのデータとは、入力データ記憶手段に記憶される。そして、パターンデータ作成手段は、入力データ記憶手段に記憶された文字や記号及びバーコードのデータを読み出して、印刷手段て印刷するための印字用のドットパターンデータを作成する際に、印刷されるバーコードの左端側と右端側に文字や記号と区別してバーコードリーダーにより確実にバーコードを読み取るための所定量のマージン又はクワイエットゾーンを設けるようなドットパターンデータを作成する。その結果、印刷手段は、このドットパターンデータに基いて、文字や記号及びバーコードを印字ヘッドを介して、テープ状の印刷媒体を搬送しつつ、入力された文字・記号やバーコードを順次連続して印刷する。」に訂正する。
エ．訂正事項ＩＶ
　特許明細書の段落【０００７】における記載「このように、文字や記号についてはこれらのドットパターンデータが夫々作成されるとともに、バーコードについてはその左右両端部に所定量の余白を設けたドットパターンデータが作成されて印刷されるので、文字や記号とバーコードとを混在させて同一行に印字した場合、バーコードをその左右両端部に設けた所定量の余白を介して文字や記号と区別して印字されることになり、バーコードリーダーによりバーコードを確実に読取ることができる。」を、「このように、文字や記号についてはこれらのドットパターンデータが夫々作成されるとともに、バーコードについてはその左右両端部に文字や記号と区別してバーコードリーダーにより確実にバーコードを読み取るための所定量のマージン又はクワイエットゾーンを設けたドットパターンデータが作成されて印刷されるので、文字や記号とバーコードとを混在させて同一行に印字した場合、バーコードをその左右両端部に設けた所定量のマージン又はクワイエットゾーンを介して文字や記号と区別して印字されることになり、バーコードリーダーによりバーコードを確実に読取ることができる。」に訂正する。
オ．訂正事項Ｖ
　特許明細書の段落【００２８】における記載「【発明の効果】請求項１に係るバーコード印刷装置によれば、パターンデータ作成手段を設け、文字や記号についてはこれらのドットパターンデータが夫々作成されるとともに、バーコードについてはその左右両端部に所定量の余白を設けたドットパターンデータが作成されて印刷されるので、文字や記号とバーコードとを混在させて同一行に印字した場合、バーコードをその左右両端部に設けた所定量の余白を介して文字や記号と区別して印字されることになり、バーコードリーダーによりバーコードを確実に読取ることができる。また、文字列にイタリック等の文字幅の拡がる修飾が設定されている場合でも、バーコードの左端側の設けられた所定量の余白により、バーコードの左端に文字列の右端が重なることはない。」を、「【発明の効果】請求項１に係るバーコード印刷装置によれは、パターンデータ作成手段を設け、文字や記号についてはこれらのドットパターンデータが夫々作成されるとともに、バーコードについてはその左右両端部に文字や記号と区別してバーコードリーダーにより確実にバーコードを読み取るための所定量のマージン又はクワイエットゾーンを設けたドットパターンデータが作成されて印刷されるので、文字や記号とバーコードとを混在させて同一行に印字した場合、バーコードをその左右両端部に設けた所定量のマージン又はクワイエットゾーンを介して文字や記号と区別して印字されることになり、バーコードリーダーによりバーコードを確実に読取ることができる。また、文字列にイタリック等の文字幅の拡がる修飾が設定されている場合でも、バーコードの左端側の設けられた所定量のマージン又はクワイエットゾーンにより、バーコードの左端に文字列の右端が重なることはない。」に訂正する。
（５４）【発明の名称】
バーコード印刷装置
（５７）【特許請求の範囲】
　【請求項１】　文字や記号及び種々の指令を入力
可能であるとともに、バーコードのデータをも入力可能とすることにより、印刷される文字や記号とバーコードとが混在するように入力可能な
　この入力手段から入力される文字や記号のデータと、バーコードのデータとを記憶する入力データ記憶手段と、
　複数のドット状の印字素子からなる印字ヘッドを
有し、テープ状の印刷媒体を搬送しつつ、入力された文字・記号やバーコードを順次連続して印字
　文字や記号及びバーコードを
連接して
　前記入力データ記憶手段に記憶された文字や記号及びバーコードのデータを
読み出して、前記印刷手段で印刷するための
文字や記号と区別してバーコードリーダーにより確実にバーコードを読み取るための所定量のマージン又はクワイエットゾーン
【発明の詳細な説明】
　【０００１】
　【産業上の利用分野】
　本発明はバーコード印刷装置に関し、特にバーコード印刷時にその左右両端側に所定の余白を夫々設けるようにしたものに関する。
　【０００２】
　【従来の技術】
　現在、多種多様の物品の物品識別コードとして、ＪＡＮ（Ｊａｐａｎ　Ａｒｔｉｃｌｅ　Ｎｕｍｂｅｒ）、ＥＡＮ（Ｅｕｒｏｐｅ　Ａｒｔｉｃｌｅ　Ｎｕｍｂｅｒ）、コード３９などの種々の規格に基いたバーコードが広く活用されつつあり、各物品の包装袋やラベル等に印刷されている。しかも、このバーコードをバーコードリーダーで正確に読取る為には、バーコードの左右両端側には、所定量の余白（所謂、マージン又はクワイエットゾーン）を設ける必要がある。一方、本願出願人は、印字媒体としてのテープ（例えば、１０ミリ、約２４ミリの幅のテープ）に文字や記号を印字できるテープ印字装置を実用化し、更に、バーコードの汎用性を高揚できるように、このテープに文字や記号とともにバーコードを印字する機能を付加したテープ印字装置を実用化した（特願平３−３６０４７０号参照）。
　【０００３】
　このバーコード印刷可能なテープ印字装置においては、文字や記号とバーコードの複数桁からなるデータキャラクタとを混在させて入力した場合、文字列については設定された文字サイズと文字コードとに基いて印字用のドットパターンデータを作成する一方、バーコードについては設定された文字サイズと複数桁のデータキャラクタとに基いてバーコード用のドットパターンデータを作成し、これらドットパターンデータにより文字列やバーコードを同一行に印字できるように構成されている。
　【発明が解決しようとする課題】
　前記バーコード印刷可能なテープ印字装置において、文字や記号の印字用のドットパターンデータを作成する一方、バーコード用のドットパターンデータを作成し、これらドットパターンデータに基いて連続的にテープに印字するので、文字や記号とバーコードとがこの順序で連続して印字される。この場合、バーコードと文字や記号とがこの順序で連続して印字されるので、バーコードの左端側と右端側とに夫々余白が設けられず、バーコードリーダーでこのバーコードを読取ることができないという問題がある。また、文字列にイタリック（斜字）等の文字幅の拡がる修飾が設定されている場合、文字列の右端とバーコードの左端とが重なってしまうという問題もある。
　【０００４】
　本発明の目的は、文字や記号とバーコードとを印字する際に、バーコードの左右両端側に所定の余白を夫々設けたドットパターンデータを作成して、印字し得るようなバーコード印刷装置を提供することにある。
　【０００５】
　【課題を解決するための手段】
　請求項１に係るバーコード印刷装置は、図１の機能ブロック図に示すように、文字や記号及び種々の指令を入力
可能であるとともに、バーコードのデータをも入力可能とすることにより、印刷される文字や記号とバーコードとが混在するように入力可能な
有し、テープ状の印刷媒体を搬送しつつ、入力された文字・記号やバーコードを順次連続して印字
連接して
読み出して、前記印刷手段で印刷するための
文字や記号と区別してバーコードリーダーにより確実にバーコードを読み取るための所定量のマージン又はクワイエットゾーン
　【０００６】
　【作用】
　請求項１に係るバーコード印刷装置においては、入力手段から入力される文字や記号のデータと、バーコードのデータとは、入力データ記憶手段に記憶される。そして、パターンデータ作成手段は、入力データ記憶手段に記憶された文字や記号及びバーコードのデータを
読み出して、印刷手段で印刷するための
文字や記号と区別してバーコードリーダーにより確実にバーコードを読み取るための所定量のマージン又はクワイエットゾーン
、テープ状の印刷媒体を搬送しつつ、入力された文字・記号やバーコードを順次連続して
　【０００７】
　このように、文字や記号についてはこれらのドットパターンデータが夫々作成されるとともに、バーコードについてはその左右両端部に
文字や記号と区別してバーコードリーダーにより確実にバーコードを読み取るための所定量のマージン又はクワイエットゾーン
マージン又はクワイエットゾーン
　【０００８】
　【実施例】
　以下、本発明の実施例について図面に基いて説明する。本実施例は、アルファベット文字や記号などの多数のキャラクタを印字用テープに印字可能な英語専用のテープ印字装置に本発明を適用した場合のものである。図２に示すように、テープ印字装置１の本体フレーム２の前部にはキーボード３が配設され、キーボード３の後方で本体フレーム２内には印字機構ＰＭが配設され、またキーボード３の後方には文字や記号を表示可能な液晶ディスプレイ２２が設けられている。
　【０００９】
　キーボード３には、アルファベットや数字や記号を入力する為の文字キー、スペースキー、リターンキー、カーソルを右方或いは左方へ移動させるカーソル移動キー、文書データを作成する文書作成キー、バーコードのデータを入力する為のバーコードキー、印字フォーマットを設定する為のフォーマット設定キー、印字文字のサイズを設定するサイズ設定キー、印字文字の書体を設定する書体設定キー、各種の入力・編集処理を終了する終了キー、各種の編集処理を取消す取消キー、印字を指令する印字キー、電源をＯＮ・ＯＦＦする為の電源キーなどが設けられている。
　【００１０】
　次に、図３に基いて印字機構ＰＭについて簡単に説明すると、印字機構ＰＭに着脱自在に矩形状のテープ収納カセットＣＳが装着されており、このテープ収納カセットＣＳには、透明なフイルムからなる幅約２４ｍｍの印字用テープ５が巻装されたテープスプール６と、インクリボン７が巻装されたリボン供給スプール８と、このインクリボン７を巻取る巻取りスプール９と、印字用テープ５と同一幅を有する両面テープ１０が剥離紙を外側にして巻装された供給スプール１１と、これら印字用テープ５と両面テープ１０とを接合させる接合ローラ１２とが回転自在に設けられている。印字用テープ５とインクリボン７とが重なる位置には、サーマルヘッド１３が立設され、これら印字用テープ５とインクリボン７とをサーマルヘッド１３に押圧するプラテンローラ１４と、印字用テープ５と両面テープ１０とを接合ローラ１２に押圧する送りローラ１５とは支持体１６に回転可能に枢支されている。このサーマルヘッド１３には、１２８個の発熱素子からなる発熱素子群が上下方向に列設されている。
　【００１１】
　従って、テープ送りモータ２４（図４参照）の所定回転方向への駆動により接合ローラ１２と巻取りスプール９とが所定回転方向に夫々同期して駆動されながら発熱素子群に通電されたとき、印字用テープ５上には複数のドット列により文字が印字され、しかも印字用テープ５は両面テープ１０を接合した状態でテープ送り方向Ａにテープ送りされる。尚、印字機構ＰＭの詳細については、特開平２−１０６５５５号公報を参照。
　【００１２】
　次に、テープ印字装置１の制御系は、図４のブロック図に示すように構成されている。キーボード３と、液晶ディスプレイ（ＬＣＤ）２２に表示データを出力する為の表示用ＲＡＭを有するディスプレイコントローラ（ＬＣＤＣ）２３と、サーマルヘッド１３を駆動する為の駆動回路２５と、テープ送りモータ２４を駆動する為の駆動回路２６と、警告用ブザー２０の為の駆動回路２１とは制御装置Ｃの入出カインターフェース２７に夫々接続されている。制御装置Ｃは、ＣＰＵ２９と、このＣＰＵ２９にデータバスなどのバス２８を介して接続された入出カインターフェース２７、ＣＧＲＯＭ３０、ＲＯＭ３１・３２及びＲＡＭ４０とから構成されている。
　【００１３】
　ＣＧＲＯＭ（パターンデータメモリ）３０には、多数のキャラクタの各々に関して、表示の為のドットパターンデータがコードデータに対応させて格納されている。ＲＯＭ（アウトラインデータメモリ）３１には、キャラクタを印字する為に多数のキャラクタの各々に関して、キャラクタの輪郭線を規定する輪郭線データ（アウトラインデータ）が書体（ゴシック系書体、明朝系書体など）毎に分類されコードデータに対応させて格納されている。
　【００１４】
　ＲＯＭ３２には、キーボード３から入力された文字や数字や記号などのキャラクタのコードデータに対応させてディスプレイコントローラ２３を制御する表示駆動制御プログラム、テキストメモリ４１の各コードデータに対応するアウトラインデータからドットパターンデータに変換処理して印字バッファ４４に展開するイメージ展開処理制御プログラム、印字バッファ４４のデータを順次読出してサーマルヘッド１３やテープ送りモータ２４を駆動する印字駆動制御プログラム、本願特有の後述のテープ印字制御の制御プログラムなどが格納されている。尚、前記テープ印字制御には、テキストメモリ４１に格納された複数桁の文字や数字からなるデータキャラクタのデータを、ＪＡＮ（Ｊａｐａｎ　Ａｒｔｉｃｌｅ　Ｎｕｍｂｅｒ）、ＥＡＮ（Ｅｕｒｏｐｅ　Ａｒｔｉｃｌｅ　Ｎｕｍｂｅｒ）、コード３９などから択一的に設定されたバーコード規格に基いて、バーコードのデータに変換するバーコードデータ変換処理制御のサブルーチンが格納されている。
　【００１５】
　ＲＡＭ４０のテキストメモリ４１には、キーボード３から入力された文書データやバーコードのデータキャラクタが格納される。印字フォーマットメモリ４２には、設定された文字サイズのデータや書体のデータなど複数の印字フォーマット情報が格納される。バーコードバッファ４３には、バーコードを印字する為に複数桁の文字や数字からなるデータキャラクタのデータが格納される。印字バッファ４４には、イメージ展開された文字や記号の印字用ドットパターンデータやバーコードの為のバーコードパターンデータが格納される。従って、この印字バッファ４４には、図１４に示すように、縦方向（ドット列方向）に１２８ドットに対応する１２８ビット（１６バイト）、横方向に複数文字分の所定ビットからなる大きさの容量が設けられている。印字ポインタ（この内容をＰＰとする）４５には、印字するコードデータを読出す為にテキストメモリ４１の１つのアドレスが格納される。
　【００１６】
　次に、テープ印字装置１の制御装置Ｃで行なわれるテープ印字制御のルーチンについて、図５の概略フローチャートに基いて説明する。尚、図中符号Ｓｉ（ｉ＝１０、１１、１２・・・・）は各ステップである。電源キー操作により電源が投入されるとこの制御が開始され、先ず文書データを作成する為に文書作成キーが操作されたときには、入力された文字や記号のコードデータからなる文書データをテキストメモリ４１に格納する文書データ入力処理が実行されるとともに、バーコードキーが操作されたときには、後述のバーコードデータ入力処理制御が実行される（Ｓ１０）。
　【００１７】　
　次に、印字フォーマットキーが操作されて種々のフォーマット設定が可能になるので、サイズキー操作で文字サイズを設定するサイズ設定処理、書体キーで書体を設定する書体設定処理などの印字フォーマットを設定する処理が実行される（Ｓ４０）。次に、印字キーの操作により、文書データを印字する為の印字用ドットパターンデータやバーコードの為のバーコード用ドットパターンデータを作成して印字バッファ４４に展開するとともに、このパターンデータを印字機構ＰＭに出力して印字処理が実行され（Ｓ５０）、この制御を終了してＳ１０に戻る。
　【００１８】
　次に、バーコードキーの操作により実行されるバーコードデータ入力処理制御のルーチンについて、図６のフローチャートに基いて説明する。尚、この制御の開始時に、文書データ入力処理によりテキストメモリ４１には図９に示すように、文字「ＡＢＣ」が記憶されているものとする。この制御が開始されるとバーコード入力モードが設定され、先ずバーコード入力画面が表示され（Ｓ１５）、バーコードバッファ４３にバーコードの開始コードが格納される（Ｓ１６）。尚、バーコード規格としてコード３９が設定されているときには、Ｓ１６においてスタートコード「＊」が追加して格納される。例えば、図１１に示すように、クリアされたディスプレイ２２の先頭表示位置に左三角形の開始マークＭＳが表示され、コード３９が設定されているときには、図１０に示すようにバーコードバッファ４３の先頭アドレスに開始コードとスタートコード「＊」とが格納される。
　【００１９】
　次に、数字キーを含む文字キーが操作されたときに（Ｓ１７・Ｓ１８：Ｙｅｓ）、ＪＡＮのバーコード規格のようにバーコードバッファ４３に格納されている数字桁数が所定桁よりも少なく、入力可能なときには（Ｓ１９：Ｙｅｓ）、その文字コードがバーコードバッファ４３に格納され（Ｓ２０）、その文字コードに対応する文字がディスプレイ２２に表示され（Ｓ２１）、Ｓ１７に戻る。例えば、コード３９のバーコード規格が設定されているときに、数字「１２」が入力されたときには、図１２に示すようにディスプレイ２２に表示される。
　【００２０】
　次に、データキャラクタの入力を終了する為に終了キーが操作されてバーコードモードが解除されたときに（Ｓ１７：Ｙｅｓ、Ｓ１８：Ｎｏ、Ｓ２２：Ｙｅｓ）、ＪＡＮのバーコード規格のように所定桁の数字コードがバーコードバッファ４３に格納されているときには（Ｓ２３：Ｙｅｓ）、バーコードの終了コードがバーコードバッファ４３に追加格納され（Ｓ２４）、バーコードバッファ４３内の全てのコード列がテキストメモリ４１に格納され（Ｓ２５）、バーコードバッファ４３がクリアされ（Ｓ２６）、この制御を終了してテープ印字制御にリターンする。尚、バーコード規格としてコード３９が設定されているときには、Ｓ２４においてストップコード「＊」が追加して格納される。例えば、図１０に示すように、コード３９の規格に基いて入力されたバーコードの為のデータキャラクタを含むバーコードバッファ４３内の全てのコード列は、図９に示すように、テキストメモリ４１に追加格納される。
　【００２１】
　ところで、取消しキーが操作されたときには（Ｓ１７：Ｙｅｓ、Ｓ１８・Ｓ２２：Ｎｏ、Ｓ２７：Ｙｅｓ）、バーコードバッファ４３がクリアされ（Ｓ２６）、この制御を終了してテープ印字制御にリターンする。尚、バーコードバッファ４３内に所定桁の数字が格納されているときに文字キーを操作したとき（Ｓ１７・Ｓ１８：Ｙｅｓ、Ｓ１９：Ｎｏ）、又は終了キーが操作れたときに、バーコードバッファ４３に所定桁の数字コードが格納されていないときには（Ｓ２３：Ｎｏ）、警告する為にブザー２０が鳴動され（Ｓ２９）、Ｓ１７に戻る。また、文字キー、終了キー及び取消キー以外のキーが操作されたときには（Ｓ１７：Ｙｅ　ｓ、Ｓ１８・Ｓ２２・Ｓ２７：Ｎｏ）、操作されたキーに対応する処理が実行され（Ｓ２８）、Ｓ１７に戻る。
　【００２２】
　次に、印字キーの操作で実行される印字処理制御のルーチンについて、図７のフローチャートに基いて説明する。この制御が開始されたときに、テキストメモリ４１内に文書データが存在するときには（Ｓ５１：Ｙｅｓ）、先ず印字ポインタ値ＰＰにテキストメモリ４１の先頭アドレスがセットされ（Ｓ５２）、この印字ポインタ値ＰＰで指示するコードデータが文字コードのときには（Ｓ５３、Ｓ５４：Ｙｅｓ）、設定されたサイズのデータに基いて拡大率が求められ、この拡大率を用いてアウトラインデータを拡大・縮小処理するとともに、このアウトラインデータから印字用のドットパターンデータが作成されて印字バッファ４４に格納され（Ｓ５５）、この印字バッファ４４のドットパターンデータが印字機構ＰＭに出力されて印字処理される（Ｓ５６）。尚、拡大率を用いてアウトラインデータからドットデータに変換するドットデータ変換処理制御の詳細については、例えば、特開昭４９−１２９４４７号公報を参照。
　【００２３】
　次に、印字ポインタ値ＰＰが１つインクリメントされ（Ｓ５７）、テキストメモリ４１にコードデータが存在するときには（Ｓ５８：Ｙｅｓ）、Ｓ５３以降が繰り返される。一方、読込んだコードデータがバーコードの開始コードのときには（Ｓ５３、Ｓ５４：Ｎｏ、Ｓ５９：Ｙｅｓ）、次のアドレスから終了コードに亙って格納されているバーコードのデータキャラクタが読込まれ（Ｓ６０）、これらデータキャラクタのデータについて、設定されたバーコード規格に基いて前述したバーコードデータ変換処理制御によりバーコードのデータに変換され（Ｓ６１）、更にこのバーコードデータについてイメージ展開処理（図８参照）が実行される（Ｓ６２）。
　【００２４】
　このイメージ展開処理制御が開始されると、先ずバーコードの左側に設ける所定の左余白量ＬＹの為の余白データが印字バッファ４４に作成される（Ｓ７０）。例えば、図１３に示すように、既にイメージ展開処理された文字列「ＡＢＣ」のドットパターンデータに隣接させて、４５ドット列分の左余白量（約６．３ｍｍ）ＬＹが印字バッファ４４に作成される。次に、サイズデータと複数桁のデータキャラクタとに基いて、文字サイズの高さとなるように、バーコード用のドットパターンデータが作成され、印字バッファ４４に格納される（Ｓ７１）。そして、バーコードの右側に設ける所定の右余白量ＲＹの為の余白データが印字バッファ４４に作成され（Ｓ７２）、この制御を終了して印字処理制御のＳ６３に移行する。例えば、図１３に示すように、バーコードのデータに隣接させて４５ドット列分の右余白量ＲＹが印字バッファ４４に作成される。
　【００２５】
　次に、この印字バッファ４４のバーコード用ドットパターンデータが印字機構ＰＭに出力されて印字処理される（Ｓ６３）。次に、印字ポインタ値ＰＰに終了コードのアドレスがセットされ（Ｓ６４）、Ｓ５７以降が実行される。ところで、読込んだコードデータが文字コードでも開始コードでもないとき、例えばスペースコードなどのときには（Ｓ６３、Ｓ５４・Ｓ５９：Ｎｏ）、そのコードデータに対応する指令が印字機構ＰＭに出力され（Ｓ６５）、Ｓ５７に移行する。そして、テキストメモリ４１内の全てのデータについて印字処理されたときには（Ｓ５８：Ｎｏ）、この制御を終了して図５のテープ印字制御にリターンする。尚、この印字処理制御の開始時に、テキストメモリ４１内に文書データが存在しないときには（Ｓ５１：Ｎｏ）、ブザー２０が鳴動され（Ｓ６６）、図５のテープ印字制御にリターンする。
　【００２６】
　例えば、図１４に示すように、図９に示すテキストメモリ４１に格納された文字列及びバーコードが印字用テープ５に印字処理される。即ち、このバーコードの左端側には左余白量ＬＹが設けられるとともに、その右端側にも右余白量ＲＹが設けられ、バーコードはその左右量端側の余白量ＬＹ・ＲＹを介して文字列と区別して印字されることになり、バーコードリーダーによりバーコードを確実に読取ることができる。また、文字列にイタリック等の文字幅の拡がる修飾が設定されている場合でも、バーコードの左端側に左余白量ＬＹが存在するので、バーコードの左端に文字列の右端が重なることはない。
　【００２７】
　尚、バーコードの左右両端部に設ける余白量ＬＹ・ＲＹは、４５ドット以上の任意のドット数であってもよい。尚、ドットパターンを用いて文字列やバーコードを印字する印字機構を備えた種々のバーコード印刷装置に本発明を適用し得ることは勿論である。
　【００２８】
　【発明の効果】
　請求項１に係るバーコード印刷装置によれば、パターンデータ作成手段を設け、文字や記号についてはこれらのドットパターンデータが夫々作成されるとともに、バーコードについてはその左右両端部に
文字や記号と区別してバーコードリーダーにより確実にバーコードを読み取るための所定量のマージン又はクワイエットゾーン
マージン又はクワイエットゾーン
マージン又はクワイエットゾーン
【図面の簡単な説明】
　【図　１】　本発明の構成を示す機能ブロック図である。
　【図　２】　テープ印字装置の平面図である。
　【図　３】　印字機構の概略平面図である。
　【図　４】　テープ印字装置の制御系のブロック図である。
　【図　５】　テープ印字制御のルーチンの概略フローチャートである。
　【図　６】　バーコードデータ入力処理制御のルーチンの概略フローチャートである。
　【図　７】　印字処理制御のルーチンの概略フローチャートである。
　【図　８】　バーコードイメージ展開処理制御の概略フローチャートである。
　【図　９】　テキストメモリ内のデータ構造を説明する説明図である。
　【図１０】　バーコードバッファ内のデータ構造を説明する説明図である。
　【図１１】　バーコードのデータ入力画面の表示例の図である。
　【図１２】　データキャラクタに対応する数字を入力した表示例の図である。
　【図１３】　印字バッファ内のデータ構造を説明する説明図である。
　【図１４】　文字列とバーコードとを印字した印字例の図である。
　【符号の説明】
　　１　テープ印字装置
　　３　キーボード
　１３　サーマルヘッド
　２４　テープ送りモータ
　２９　ＣＰＵ
　３１　ＲＯＭ
　３２　ＲＯＭ
　４０　ＲＡＭ
　４１　テキストメモリ
　　Ｃ　制御装置
　ＣＳ　テープ収納カセット
　ＰＭ　印字機構